(57)【要約】  本発明は、プラグ（１）によって電源に接続されるタイプの多芳香剤揮発性物質蒸発器装置に関する。本蒸発器装置は、異なる液体芳香剤を保持する二つ又はそれ以上のレセプタクル（８）を含む本体を備えた単一の容器（６）を有する。レセプタクルには芯（２）が夫々浸漬してある。蓋（９）が本体（７）を閉鎖し、レセプタクル（８）を独立させる。蓋（９）には開口部（１０）が設けられている。これらの開口部（１０）は、開口部（１０）と向き合って配置された一つ又はそれ以上の抵抗エレメント（３）を、手動押しボタン（４）によって、又は予め形成したプログラムに従って自動的に作動することにより、芳香剤を放出し蒸発し、芳香剤を所定の時間間隔中に順次又は組み合わせて放出するため、芯（２）の位置と対応して設けられている。
2008528221.tif 000002
【特許請求の範囲】
【請求項１】
プラグ（１）によって電源に接続され、各々の芯（２）が浸漬された二つ又はそれ以上の液体芳香剤を収容しており、前記芯（２）と対応して配置された二つ又はそれ以上の抵抗エレメント（３）を有し、前記抵抗エレメント（３）は、手動式押しボタン（４）によって、又は予め形成されたプログラムに従って自動的に作動されると、前記芳香剤を、所定の時間間隔中、順次、又は組み合わせて、ケーシング（５）を通して拡散する、というタイプの多芳香剤揮発性物質の蒸発器装置において、単一の容器（６）を有し、この容器は、
異なる芳香剤を保持する二つ又はそれ以上の独立したレセプタクル（８）が装着された本体（７）と、
前記レセプタクル（８）に各々収容された二つ又はそれ以上の芯（２）と、
前記本体（７）をシールし、前記レセプタクル（８）を独立させる蓋（９）であって、前記各芯（２）の位置と対応する各開口部（１０）を有し、前記各開口部（１０）と向き合って配置された夫々の抵抗エレメント（３）を作動することによって前記芳香剤を出し、蒸発させるための蓋（９）と、
前記蒸発器装置が非作動状態にある場合に前記開口部（１０）を覆うシール（１１）と、を備えたことを特徴とする多芳香剤揮発性物質蒸発器装置。
【請求項２】
請求項１に記載の多芳香剤揮発性物質蒸発器装置において、
前記レセプタクル（８）の各々は、前記芳香剤を収容するキャビティ（１２）を有し、前記キャビティ（１２）から、芯（２）を収容する、高さが低い平らなハウジング（１３）が突出しており、前記芯（２）は、前記キャビティ（１２）内に延びている、ことを特徴とする多芳香剤揮発性物質蒸発器装置。
【請求項３】
請求項１及び２に記載の多芳香剤揮発性物質蒸発器装置において、
前記キャビティ（１２）には、インジケータレンズ（１６）を装着する幾つかのガイド（１５）が形成されており、前記インジケータレンズ（１６）の各々と対応して発光ダイオード（１７）が設けられており、これらの発光ダイオード（１７）は、対応する抵抗エレメント（３）を作動させたときに前記インジケータレンズ（１６）を照光し、前記キャビティ（１２）に収容された芳香剤に対応する色をその芳香剤の蒸発を示す信号として反射する、ことを特徴とする多芳香剤揮発性物質蒸発器装置。
【請求項４】
請求項１に記載の多芳香剤揮発性物質蒸発器装置において、
前記ケーシング（５）は係合手段（１８）を有し、前記容器（６）の前記本体（７）は幾つかの横方向突出部（１９）を有し、これらの突出部（１９）に前記係合手段（１８）が固定され、前記ケーシング（５）と前記容器（６）との間を連結する、ことを特徴とする多芳香剤揮発性物質蒸発器装置。
【請求項５】
請求項１及び４に記載の多芳香剤揮発性物質蒸発器装置において、
前記ケーシング（５）は二つの半部（５’、５’’）によって形成されており、これらの半部の間には、前記容器（６）の案内及び支持を行うためのエレメントを構成する絶縁プレート（２８）が保持されている、ことを特徴とする多芳香剤揮発性物質蒸発器装置。
【請求項６】
請求項１に記載の多芳香剤揮発性物質蒸発器装置において、
前記ケーシング（５）の内部には、前記抵抗エレメント（３）及びプログラム可能コントローラを含むプリント回路（２０）が取り付けられており、前記プログラム可能コントローラは、前記抵抗エレメント（３）の作動順序を制御する、ことを特徴とする多芳香剤揮発性物質蒸発器装置。
【請求項７】
請求項６に記載の多芳香剤揮発性物質蒸発器装置において、
前記プリント回路（２０）は、電気の供給が遮断された場合に芳香剤の蒸発順序を再開できるＥＥＰＲＯＭメモリーを有する、ことを特徴とする多芳香剤揮発性物質蒸発器装置。
【請求項８】
請求項３及び６に記載の多芳香剤揮発性物質蒸発器装置において、
前記プリント回路（２０）には発光ダイオード（１７）が配置されている、ことを特徴とする多芳香剤揮発性物質蒸発器装置。
【請求項９】
請求項１に記載の多芳香剤揮発性物質蒸発器装置において、
前記開口部（１０）を覆う前記シール（１１）は、シールを掴むことができるように個々のタブをなして前記蓋（９）の両側で横方向に延びている、ことを特徴とする多芳香剤揮発性物質蒸発器装置。
【請求項１０】
請求項１及び９に記載の多芳香剤揮発性物質蒸発器装置において、
前記シール（１１）は、漏れを阻止する内層と、前記芳香剤の蒸気に対する障壁として機能する中間層と、説明を印刷するようになった外層とによって形成されている、ことを特徴とする多芳香剤揮発性物質蒸発器装置。
【請求項１１】
請求項６乃至８のうちのいずれか一項に記載の多芳香剤揮発性物質蒸発器装置において、
前記プリント回路（２０）には、手動による蒸発の時間を制限し、その時間の後に自動機能に直接移行するコントローラに接続されたタイマーが組み込んである、ことを特徴とする多芳香剤揮発性物質蒸発器装置。
【請求項１２】
請求項１及び６に記載の多芳香剤揮発性物質蒸発器装置において、
前記ケーシング（５）は、使用者が手動で調節できる回転式制御器（２２）がその中に設けられた開口部（２１）を有し、前記回転式制御器（２２）は、前記プリント回路（２０）に接続された電位差計（２３）と連絡しており、電位差計（２３）は、信号をコントローラに送り、前記抵抗エレメント（３）の電圧が調節され、抵抗エレメント（３）の温度変化、ひいては芳香剤の蒸発速度の変化を決定する、ことを特徴とする多芳香剤揮発性物質蒸発器装置。
【請求項１３】
請求項１及び６に記載の多芳香剤揮発性物質蒸発器装置において、
前記容器（６）は、エンコーデッドボード（２６）を保持するハウジング（２５）を有し、前記エンコーデッドボード（２６）は、前記容器の芳香剤の組み合わせと関連した蒸発パラメータを含み、前記プリント回路（２０）は、前記エンコーデッドボード（２６）と対応する検出器（２７）を有し、前記検出器（２７）は前記パラメータを読み取ってこれらのパラメータを前記コントローラに伝達し、前記パラメータに従って芳香剤の蒸発をトリガーする、ことを特徴とする多芳香剤揮発性物質蒸発器装置。
【請求項１４】
多芳香剤揮発性物質の容器において、
異なる芳香剤を保持する二つ又はそれ以上の独立したレセプタクル（８）を備えた本体（７）と、
レセプタクル（８）に各々収容された二つ又はそれ以上の芯（２）と、
前記本体（７）を閉鎖し、前記レセプタクル（８）を独立させる蓋（９）であって、前記各芯（２）の位置と対応する各開口部（１０）を有し、前記各開口部と向き合って配置された夫々の抵抗エレメント（３）を作動することによって前記芳香剤を出し、蒸発させるための蓋（９）と、
前記蒸発器装置が非作動状態にある場合に前記開口部（１０）を覆うシール（１１）と、を備えたことを特徴とする多芳香剤揮発性物質の容器。
【請求項１５】
請求項１４に記載の多芳香剤揮発性物質の容器において、
前記レセプタクル（８）の各々は、前記芳香剤を収容するキャビティ（１２）を有し、前記キャビティ（１２）から、芯（２）を収容する、高さが低い平らなハウジング（１３）が突出しており、前記芯（２）は、前記キャビティ（１２）内に延びている、ことを特徴とする多芳香剤揮発性物質の容器。
【請求項１６】
請求項１４及び１５に記載の多芳香剤揮発性物質の容器において、
前記キャビティ（１２）には、前記芳香剤の作動と関連したインジケータレンズ（１６）を装着する幾つかのガイド（１５）が形成されている、ことを特徴とする多芳香剤揮発性物質の容器。
【請求項１７】
請求項１４に記載の多芳香剤揮発性物質の容器において、
前記容器（６）の前記本体（７）は、係合用の幾つかの横方向突出部（１９）を有する、ことを特徴とする多芳香剤揮発性物質の容器。
【請求項１８】
請求項１４に記載の多芳香剤揮発性物質の容器において、
前記開口部（１０）を覆う前記シール（１１）は、シールを掴むことができるようにする個々のタブをなして前記蓋（９）の両側で横方向に延びている、ことを特徴とする多芳香剤揮発性物質の容器。
【請求項１９】
請求項１４及び１８に記載の多芳香剤揮発性物質の容器において、
前記シール（１１）は、漏れを阻止する内層と、前記芳香剤の蒸気に対する障壁として機能する中間層と、説明を印刷するようになった外層とによって形成されている、ことを特徴とする多芳香剤揮発性物質の容器。
【請求項２０】
請求項１４に記載の多芳香剤揮発性物質の容器において、
エンコーデッドボード（２６）を保持するハウジング（２５）を有し、前記エンコーデッドボード（２６）は、前記容器（６）の芳香剤の組み合わせと関連した蒸発パラメータを含む、ことを特徴とする多芳香剤揮発性物質の容器。
【発明の詳細な説明】
【技術分野】
【０００１】
本発明は、幾つかの芳香剤を、手動又は確立したプログラムに従って、順次又は同時に放出するための、電源に接続される種類の多芳香剤揮発性物質蒸発器装置に関する。
【背景技術】
【０００２】
香料や殺虫剤を空気中に蒸発させる、家庭用電源ソケットに適合した、揮発性物質の電気蒸発器装置は既知である。この蒸発器装置は、揮発性物質の容器、抵抗加熱エレメント、及び発光手段、手動で又は関連した電気回路による自動作動によって作動させるためのエレメントを有する。
【０００３】
揮発性の一般的には液状の物質の容器は、物質を、容器から、物質を周囲に蒸発するヒーターエレメントが配置された領域まで移送する毛管作用エレメントを含む。
【０００４】
容器が空になった場合、又は消費者が別の液体を使用したいと望んだ場合、容器を別の新たな容器と交換しなければならない。同じ液体臭気剤を蒸発する同じ容器を使用し続けるということは、この臭気剤に対する使用者の知覚が、嗅覚的飽和に達するまで、経時的に減少するということを意味する。
【０００５】
この種の臭気剤の恒常的消費者は、一般的には、使い尽くすまで、単一の容器を使用する。このため、その使用寿命中、一つの臭気剤しか知覚されない。
【０００６】
国際特許第ＷＯ  ０１／０５４４２号は、芳香剤放出装置に関し、二つの異なる芳香剤の組み合わせを開示する。一方の芳香剤は連続的に供給され、他方の芳香剤は、第１の芳香剤と相互作用し、消費者が飽きたり、第１の芳香剤の強さが減少すると感じたりすることがないように定期的に供給される。
【０００７】
米国特許第０４／００３３１７１号は、二つ又はそれ以上の物質を所定の順序で蒸発する方法を提案している。しかしながら、この特許は、使用者が装置を操作して容器を交換することの可能性を解決していない。従って、芳香剤、組み合わせ芳香剤が承服し難い結果をもたらす場合がある。
【０００８】
他方、米国特許第２００４／０００７７８７号には、幾つかの揮発性物質が入ったカートリッジが開示されている。このカートリッジは、一つ又は別の物質を独立して蒸発するために回転し、これらの芳香剤の組み合わせを許容しない。
【０００９】
香料製造者は、香料を形成するとき、錆、アルデヒド、ムスク（麝香）、樹木、バルサム（松脂）、シトラス（柑橘）、アニスの実、スパイス、フローラル（花の香り）、フルーティー（果実の香り）、メンソール、スィートグラス（ヤチヤナギの花の香り）、オゾン、ベチベルソウ、針葉樹の香り、タバコの香りにグループ分けされる広い範囲の嗅覚香気(olfactory note)を利用する。
【００１０】
香料は、同様に、三つの大きな嗅覚香気群、即ちトップ香気、中間香気、及びベース香気によって構成される。トップ香気は、最も早く消える香気であり、一時間後にその強さを失う。中間香気は、それ程軽くなく、三時間後にその強さを失う。ベース香気は、最大２４に亘って残る。これらの臭気剤の間の割合並びに各芳香剤の濃度、組成及び特徴を正しく選択することにより、フレッシュな香り、海の香り、草の香り、フルーツの香り、東洋的な香り、森の香り、等の個々の特徴をつくりだすことができる。
【００１１】
幾つかの芳香剤を別々に又は様々な濃度で組み合わせて蒸発させることができ、これにより、飽和をなくすため、モジュール式のシステムで環境をリフレッシュするため、又は別々の成分に基づいて実際の芳香剤を形成するために香料製造者が使用できる様々な可能な形体を得ることができる。しかしながら、芳香剤を適切な方法で組み合わせることは、満足のいく結果を得る上で特に重要である。
【００１２】
芳香剤を組み合わせる上文中に説明した特許の場合には、これらの芳香剤は独立した容器で提供され、これを他者が、嗅覚的品質の観点ばかりでなく、許容できないことがわかっている物質の組み合わせを形成するために元々の物質と非適合性の他の芳香剤と交換する場合がある。
【発明の開示】
【発明が解決しようとする課題】
【００１３】
本発明の目的は、組み合わせて蒸発させる上で配合適合性を持つ幾つかの芳香剤を含み、一つの芳香剤が、これとは適合禁忌の別の芳香剤と入れ替えられる可能性をなくす、コンパクトなユニットとして、芳香剤を保持する容器を提供することである。
【課題を解決するための手段】
【００１４】
本発明の目的を構成する多芳香剤活性物質蒸発器装置により、嗅覚の飽和を所定の順序に従って抑えることができる。これは、芳香剤が、例えば皮膚に付けた香料製品や植物が大気中に分泌する自然の芳香剤の嗅覚香気が経時的に徐々に放出されるのと同様の方法で放出されているように使用者が知覚するように伝達する目的で行われる。
【００１５】
本装置は、調和した又は相補的な嗅覚香気を持つ揮発性物質を含む様々な芳香剤を収容した多数のレセプタクルを持つ単一の容器を組み込むことを考えている。幾つかの芳香剤を保持する性能を持つ単一の容器を製造することにより、製造を容易にするとともに、一緒に供給されるべき関連した芳香剤を、これらの芳香剤のうちの一つの芳香剤を入れ替えたり、他の芳香剤と組み合わせたりすることなく、組み合わせることができる。芳香剤の他の組み合わせを拡散したい場合には、これらの他の芳香剤がそのレセプタクルに保持された他の容器と交換しなければならない。
【００１６】
本装置は、レセプタクルと同数の抵抗エレメントを有する。これらの抵抗エレメントには可変の電圧が供給され、コントローラによって調節されたサイクルに従って各レセプタクルを加熱することによって作動する。更に、前記抵抗エレメントの各々の作動と関連した発光ダイオードが設けられている。これらの発光ダイオードは、任意の所与の瞬間に蒸発されている液体を使用者に知らせる。
【００１７】
この装置により、三つのレセプタクル内の同じ芳香剤を、トップ香気、中間香気、及びベース香気にでき、三つの成分の変化させた、組み合わせた、又は独立した蒸発を行い、知覚を繊細に変化し、使用者が慣れないようにする。同様に、各レセプタクルの芳香剤の種類及び強さを変化させることによって、最後の芳香剤の特徴を変化させることができる。
【００１８】
装置は、手動モードで、又は自動モードで作動できる。
【００１９】
自動モードでは、装置は、様々な抵抗エレメントを、同じ作動サイクルを使用すること、又は組み合わせられるべき芳香剤に関して持続時間を変えることのいずれかを使用し、コントローラが電源スイッチを通して各抵抗エレメントに様々な有効電圧で送出する蒸発温度の関数として変化できる嗅覚の強さを得る作動順序に従って、サイクルをなして接続する電気回路のコントローラにプログラムされている。
【００２０】
作動順序は、様々な芳香剤の消費が同じであり、これらの芳香剤の各々の持続時間が同じであり、一つの芳香剤が別の芳香剤の前に終了しないようにプログラムされている。
【００２１】
自動作動モードは、電力が遮断されていない場合には、不定に作動する。使用者は、任意の時期に、手動作動モードを作動させたり、蒸発器装置の作動を停止したりできる。
【００２２】
手動作動モードでは、押しボタンを一回又は数回押すことにより、様々な作動モードを選択する。これらの作動モードは、全ての場合において、所与の芳香剤が過度に消費されないようにするため、並びに芳香剤の消費の不均衡及び同じ芳香剤を絶え間なく拡散した場合に生じる嗅覚の慣れが生じないようにするため、持続時間が決定されている。従って、装置の手動作動は、持続時間が限定されており、例えばタイマーによって決定される。手動モードで時間が含まれていない場合には、直接、自動モードに移行する。
【００２３】
可能な解決策では、装置を電源に接続すると、プログラムされた順序に従って自動モードで作動され、押しボタンを最初に押すと、一つのサイクル中の第１のレセプタクルに収容された芳香剤が蒸発され、二度目に押すと、一つのサイクル中の第２の芳香剤が蒸発され、三度目に押すと、一つのサイクル中の第３の芳香剤の蒸発が作動され、四度目に押すと、装置の作動を中断でき、五度目に押すと、装置を自動モードに戻す。これらの押す作業により、拡散中の芳香剤と対応する発光インジケータの作動が決定される。
【００２４】
供給電力が誤って遮断された場合には、電子式コントローラのＥＥＰＲＯＭ型副メモリーが、消費の回復時に、装置を、事故が起こったときのサイクルの同じ作動モードで再始動できる。
【００２５】
オプションとして、使用者が作用を及ぼす回転式制御器により調節が行われる電位差計を組み込むことによって、システムが手動モードで作動している場合及び自動モードで作動している場合の両方で臭いを強くできる。この電位差計は、電子式コントローラに接続されており、抵抗エレメントに加わる有効電圧を高くするようにコントローラに信号を送る。これにより抵抗エレメントの温度が上昇し、蒸発速度を高め、及び従って、大気中への芳香剤の蒸発を高める。
【００２６】
更に、随意であるが、芳香剤の特定の組み合わせを組み込んだ容器は、蒸発温度、作動順序、及びサイクルの持続時間等の一連の特定の蒸発パラメータと関連したエンコーデッドボードを、電子回路に取り付けられたセンサと対応して、備えていると考えられている。電子回路は、一連の特定の蒸発パラメータをボードから読み取ってコントローラに伝達し、蒸発器装置の作動をトリガーする。
【００２７】
多芳香剤容器は、内部に収容された様々な芳香剤の液面高さを見ることができる透明なレセプタクルを備えた本体を有する。各レセプタクルには、芳香剤と関連した色を表示できるレンズが設けられている。レンズは、ダイオードの真下に配置されており、これにより芳香剤を、ダイオードによって照光されている拡散中に表示できる。かくして、例えば、ピンクが、ラズベリーの臭いを表示でき、ローズ即ちざくろ色、赤が、セコイアの木又はバニラに関し、オレンジが、アンバー、樹木、及び地中海スパイスを表示できる。この方法で、使用者は、彼が知覚している臭いにより様々な記憶を容易に呼び起こすことができる。
【００２８】
従って、容器は単一の本体と考えられ、これにより部品点数が大幅に減少する。容器は、プラスチックの射出成形又は熱形成等の既知のプロセスによって製造される。容器は、水平方向位置で充填され、９０°回転させてその垂直な作動位置にする。
【００２９】
更に、容器は、毛管作用を持つ平行な芯(wick)を備えている。これらの芯はレセプタクルに装着され、前記芯の上にプラスチックカバーが配置され、このカバーを本体に溶接する。カバーには、各芯と対応して一つずつ幾つかの開口部が設けられている。これらの開口部は、消費者によって使用されるまで容器をシールする多層シールで覆ってある。芯は、紙等であってもよく、蒸発される芳香剤を使用者が認識できるようにするイメージ、情報、又は色がその一方の面に付けてある。
【００３０】
このシールは、幾つかの層によって形成されている。即ち、機械的一貫性を提供するプラスチックや金属材料製の、使用するために取り外す方法に関する、消費者が必要とする情報を上側に印刷できる外層と、プラスチックや金属材料製の、望んでいない芳香剤が蒸発しないようにするための障壁として役立つ中間層と、プラスチック材料製の、蓋と接触して開口部を覆い、レセプタクルに収容された液体が漏れないようにする内層とによって形成されている。
【００３１】
シールと蓋との間の合一は、圧力及び熱を加えること（熱溶接）によって、又は圧力及び振動を加えること（超音波溶接）のいずれかによって、これらの両方のプラスチック材料を融着することによって行われる。シールは、蓋の両側に関して突出した個々のタブをなして横方向に延長できる。これは、シールを破るために掴むことができるようにするためである。
【００３２】
装置は、機械的係合によって接合された前半部及び後半部の二つの半部によって形成されたケーシングを有する。前半部と後半部との間には、電子回路基板が保持されている。電子回路に電力を供給する接続プラグを支持し案内する部品、及び容器を正しく挿入するためのガイドとして作用する中間絶縁部品は、同様に、容器とケーシングとの間に係合手段を有する。
【００３３】
ケーシングの一方の半部には、スクリーンが形成されており、このスクリーンを通して芳香剤が周囲に拡散される。
【００３４】
以上の説明を完了するため、及び本発明の特徴を更に良く理解するのを助ける目的で、前記説明の一体の部分である、本発明の好ましい実際的な実施形態に従って、単なる例示であって制限でない一組の図面を参照して説明する。
【発明を実施するための最良の形態】
【００３５】
本発明の目的を構成する多芳香剤揮発性物質の蒸発器装置は、プラグ（１）によって電源(electric mains)に接続するタイプであり、芯（２）が浸漬してあり、芯（２）と対応して配置された二つ又はそれ以上の抵抗エレメント（３）を有する二つ又はそれ以上の液体芳香剤が組み込んである。これらの抵抗エレメントは、押しボタン（４）によって、又は予め組み込んだプログラムに従って自動的に作動されたとき、予め決定した時間間隔中、芳香剤を順次、又は組み合わせて、ケーシング（５）から放出する。
【００３６】
蒸発器装置は、基本的には、図４に示す単一の容器（６）が組み込まれることを特徴とする。容器は、好ましくは透明な本体（７）を有し、この本体には二つ又はそれ以上の独立したレセプタクル（８）が設けられている。これらのレセプタクルは、図５に示すように、異なる芳香剤並びに二つ又はそれ以上の芯（２）を保持する。蓋（９）が本体（７）をシールし、これによりレセプタクル（８）を独立させる。蓋には開口部（１０）が設けられている。開口部（１０）は、これらの開口部（１０）と向き合って配置された夫々の抵抗エレメント（３）を作動することによって芳香剤を出し、蒸発するため、芯（２）の位置と対応して設けられている。蒸発器装置が非作動状態にある場合には、シール（１１）が開口部（１０）を覆っている。
【００３７】
各レセプタクル（８）は、芳香剤を収容するキャビティ（１２）を有し、このキャビティから、高さが低い平らなハウジング（１３）が突出している。このハウジングは芯（２）を保持しており、芯は、キャビティ（１２）内に延びている。
【００３８】
キャビティ（１２）には、インジケータレンズ（１６）が装着される幾つかのガイド（１５）が設けられていてもよい。各レンズと対応して発光ダイオード（１７）が設けられている。これらの発光ダイオード（１７）は、対応する抵抗エレメント（３）を作動することによって、前記キャビティ（１２）内に収容された芳香剤の蒸発を示す信号として、図２に示すようにインジケータレンズ（１６）を照光する。
【００３９】
更に、開口部（１０）を覆うシール（１１）は、蓋（９）の両側で個々のタブをなして横方向に延びており、これにより、図４でわかるように、シールを掴み易くするということを指摘しておく。更に、シール（１１）は、漏れを防ぐ内層と、芳香剤の蒸気に対する障壁として機能する中間層と、説明を印刷するようになった外層とを含む。
【００４０】
図３に示すように、ケーシング（５）は、係合手段（１８）を有し、容器（６）の本体（７）は、幾つかの横方向突出部（１９）を有し、ケーシング（５）と容器（６）との間を連結するため、横方向突出部（１９）に前記係合手段（１８）が固定されるということは理解されよう。
【００４１】
ケーシング（５）は２つの半部（５’、５’’）によって形成でき、これらの半部の間には、図２及び図６に示すように、断熱中間プレート（２８）が収容されている。断熱中間プレート（２８）は、容器（６）を案内し支持するためのエレメントを構成する。
【００４２】
ケーシング（５）の内部には、抵抗エレメント（３）、これらの抵抗エレメント（３）の作動順序、その同時性、及び蒸発時間を制御するプログラム可能コントローラを含むプリント回路（２０）、並びに追加として、電気の供給が遮断された場合に芳香剤の蒸発の順序を再開できるようにするＥＥＰＲＯＭメモリーが取り付けられるものと考えられる。更に、発光ダイオード（１７）を前記プリント回路（２０）に配置してもよい。
【００４３】
図７に示す可能な実施形態では、ケーシング（５）には、使用者が手動で調節できる回転式制御器（２２）が設置された開口部（２１）が設けられていると考えられる。回転式制御器（２２）は、図９に示すように、プリント回路（２０）に接続された電位差計（２３）と関連している。回転式制御器（２２）は、信号をコントローラに送り、これにより抵抗エレメント（３）の電圧を調節し、抵抗エレメント（３）の温度変化及び従って、芳香剤の蒸発速度を決定する。
【００４４】
更に、随意であるが、容器（６）は、図８に示すように、容器の芳香剤の組み合わせと関連した最適の蒸発パラメータを記憶したエンコーデッドボード（２６）を保持するハウジング（２５）と、前記パラメータを読み取ってコントローラに伝達し、芳香剤の放出を前記パラメータに従ってトリガーする、エンコーデッドボード（２６）と対応する検出器（２７）とを有する。
【００４５】
可能な実施形態では、図８でわかるように、エンコーデッドボード（２６）と対応して、蓋（９）に小さなフレーム（３０）が取り付けられており、図１０に示す検出器（２７）から幾つかの横方向突出部電気接点（２９）が出ており、これにエンコーデッドボード（２６）だけが、前記フレーム（３０）が設けられたセクタと対応する場所で、接続されている。
【図面の簡単な説明】
【００４６】
【図１】図１は、多芳香剤揮発性物質の蒸発器装置の斜視図である。
【図２】図２は、多芳香剤蒸発器装置の側断面図である。
【図３】図３は、容器を下方に抜く工程の斜視図である。
【図４】図４は、容器の斜視図である。
【図５】図５は、容器のエレメントの分解図である。
【図６】図６は、容器が示してない、蒸発器装置のエレメントの分解図である。
【図７】図７は、蒸発強さを調節するために電位差計を組み込んだ場合の蒸発器装置の斜視図である。
【図８】図８は、エンコーデッドボードを持つ解決策についての容器の分解図である。
【図９】図９は、電位差計の回転式制御器、抵抗エレメント、及び容器のエンコーデッドボードの検出器を示す、プリント回路の斜視図である。
【図１０】図１０は、エンコーデッドボードを検出器に電気的接触によって関連させる解決策についての蒸発器装置の断面図である。
【図１】
2008528221.tif 000003
【図２】
2008528221.tif 000004
【図３】
2008528221.tif 000005
【図４】
2008528221.tif 000006
【図５】
2008528221.tif 000007
【図６】
2008528221.tif 000008
【図７】
2008528221.tif 000009
【図８】
2008528221.tif 000010
【図９】
2008528221.tif 000011
【図１０】
2008528221.tif 000012
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
プラグ（１）によって電源に接続される、多芳香剤揮発性物質の蒸発器装置であって、
芳香剤を保持する少なくとも一つのレセプタクル（８）を備えた本体（７）であって、キャビティ（１２）を有し、前記キャビティ（１２）から、芯（２）を収容する、高さが低い平らなハウジング（１３）が突出しており、前記芯（２）は、前記キャビティ（１２）内に延びている、本体（７）と、
前記芯（２）の位置と対応する少なくとも一つの抵抗エレメント（３）であって、作動されるとケーシング（５）を通して前記芳香剤を蒸発する抵抗エレメント（３）と、
前記本体（７）及び前記レセプタクル（８）をシールする蓋（９）であって、少なくとも一つの開口部（１０）を有し、前記開口部（１０）と向き合って配置された抵抗エレメント（３）を作動させることによって前記芳香剤を出し、蒸発するために、前記開口部は前記芯（２）の前記位置と対応する、蓋（９）と、
前記蒸発器装置が非作動状態にある場合に前記開口部（１０）を覆うシール（１１）と、を備えた多芳香剤揮発性物質蒸発器装置において、
前記本体（７）は、二つ又はそれ以上の上述のレセプタクル（８）を含む単一部品本体から成り、前記レセプタクル（８）は、同じ本体の一部を形成し、配合禁忌の芳香剤が混合しないようにするために独立して交換できず、前記レセプタクル（８）の各々には芯（２）が設けられており、この芯（２）と隣接して対応する抵抗エレメント（３）が設けられており、これらの抵抗エレメント（３）は、プリント回路（２０）の一部であり、前記プリント回路は、前記抵抗エレメント（３）の作動順序を制御し、前記レセプタクル（８）の各々に収容された芳香剤の蒸発を順次行うか或いは組み合わせて行うか決定するプログラム可能コントローラを更に含み、前記プリント回路（２０）は前記ケーシング（５）の内部に収容されている、ことを特徴とする多芳香剤揮発性物質蒸発器装置。
【請求項２】
請求項１に記載の多芳香剤揮発性物質蒸発器装置において、
前記キャビティ（１２）には、インジケータレンズ（１６）を装着する幾つかのガイド（１５）が形成されており、前記インジケータレンズ（１６）の各々と対応して発光ダイオード（１７）が設けられており、これらの発光ダイオード（１７）は、対応する抵抗エレメント（３）が作動されたときに前記インジケータレンズ（１６）を照光し、前記キャビティ（１２）に収容された芳香剤の色をその芳香剤の蒸発を示す信号として反射する、ことを特徴とする多芳香剤揮発性物質蒸発器装置。
【請求項３】
請求項１に記載の多芳香剤揮発性物質蒸発器装置において、
前記ケーシング（５）は係合手段（１８）を有し、前記容器（６）の前記本体（７）は幾つかの横方向突出部（１９）を有し、これらの突出部（１９）に前記係合手段（１８）が固定され、前記ケーシング（５）と前記容器（６）との間を連結する、ことを特徴とする多芳香剤揮発性物質蒸発器装置。
【請求項４】
請求項１及び３に記載の多芳香剤揮発性物質蒸発器装置において、
前記ケーシング（５）は二つの半部（５’、５’’）によって形成されており、これらの半部の間には、前記容器（６）の案内及び支持を行うためのエレメントを構成する絶縁プレート（２８）が保持されている、ことを特徴とする多芳香剤揮発性物質蒸発器装置。
【請求項５】
請求項１に記載の多芳香剤揮発性物質蒸発器装置において、
前記プリント回路（２０）は、電気の供給が遮断された場合に芳香剤の蒸発順序を再開できるＥＥＰＲＯＭメモリーを有する、ことを特徴とする多芳香剤揮発性物質蒸発器装置。
【請求項６】
請求項２に記載の多芳香剤揮発性物質蒸発器装置において、
前記発光ダイオード（１７）が前記プリント回路（２０）に配置されている、ことを特徴とする多芳香剤揮発性物質蒸発器装置。
【請求項７】
請求項１に記載の多芳香剤揮発性物質蒸発器装置において、
前記開口部（１０）を覆う前記シール（１１）は、シールを掴むことができるようにする個々のタブをなして前記蓋（９）の両側で横方向に延びている、ことを特徴とする多芳香剤揮発性物質蒸発器装置。
【請求項８】
請求項１及び７に記載の多芳香剤揮発性物質蒸発器装置において、
前記シール（１１）は、漏れを阻止する内層と、前記芳香剤の蒸気に対する障壁として機能する中間層と、説明を印刷するようになった外層とによって形成されている、ことを特徴とする多芳香剤揮発性物質蒸発器装置。
【請求項９】
請求項１に記載の多芳香剤揮発性物質蒸発器装置において、
前記プリント回路（２０）には、手動による蒸発の時間を制限し、その時間の後に自動機能に直接移行するコントローラに接続されたタイマーが組み込んである、ことを特徴とする多芳香剤揮発性物質蒸発器装置。
【請求項１０】
請求項１及び６に記載の多芳香剤揮発性物質蒸発器装置において、
前記ケーシング（５）は、使用者が手動で調節できる回転式制御器（２２）がその内部に設けられた開口部（２１）を有し、前記回転式制御器（２２）は、前記プリント回路（２０）に接続された電位差計（２３）と連絡しており、電位差計（２３）は、信号をコントローラに送り、前記抵抗エレメント（３）の電圧が調節され、抵抗エレメント（３）の温度変化、ひいては芳香剤の蒸発速度の変化を決定する、ことを特徴とする多芳香剤揮発性物質蒸発器装置。
【請求項１１】
請求項１に記載の多芳香剤揮発性物質蒸発器装置において、
前記本体（７）は、エンコーデッドボード（２６）を保持するハウジング（２５）を有し、前記エンコーデッドボード（２６）は、前記容器の芳香剤の組み合わせと関連した蒸発パラメータを含み、前記プリント回路（２０）は、前記エンコーデッドボード（２６）と対応する検出器（２７）を有し、前記検出器（２７）は前記パラメータを読み取ってこれらのパラメータを前記コントローラに伝達し、前記パラメータに従って芳香剤の蒸発をトリガーする、ことを特徴とする多芳香剤揮発性物質蒸発器装置。
【請求項１２】
芳香剤を保持する少なくとも一つのレセプタクル（８）が設けられた本体（７）であって、キャビティ（１２）を有し、前記キャビティから、高さが低い平らなハウジング（１３）が突出しており、前記ハウジングは、前記キャビティ（１２）内に延びる芯（２）を保持する、本体（７）と、
前記本体（７）をシールし、前記レセプタクル（８）を独立させる蓋（９）であって、前記芳香剤を出し且つ蒸発するために、前記芯（２）と対応する少なくとも一つの開口部（１０）を有する、蓋（９）と、
前記容器が非作動状態にある場合に前記開口部（１０）を覆うシール（１１）と、を備えた多芳香剤揮発性物質の容器において、
前記本体（７）は、同じ本体の一部を形成する二つ又はそれ以上の上述のレセプタクル（８）を有し、これらのレセプタクル（８）は、配合禁忌の芳香剤が混合しないようにするために独立して交換できず、前記レセプタクル（８）の各々には芯（２）が設けられており、前記キャビティ（１２）の各々には、前記芳香剤の作動と関連したインジケータレンズ（１６）を装着する幾つかのガイド（１５）が形成されている、ことを特徴とする多芳香剤揮発性物質の容器。
【請求項１３】
請求項１２に記載の多芳香剤揮発性物質の容器において、
前記容器（６）の前記本体（７）は、係合用の幾つかの横方向突出部（１９）を有する、ことを特徴とする多芳香剤揮発性物質の容器。
【請求項１４】
請求項１２に記載の多芳香剤揮発性物質の容器において、
前記開口部（１０）を覆う前記シール（１１）は、シールを掴むことができるようにする個々のタブをなして前記蓋（９）の両側で横方向に延びている、ことを特徴とする多芳香剤揮発性物質の容器。
【請求項１５】
請求項１２及び１４に記載の多芳香剤揮発性物質の容器において、
前記シール（１１）は、漏れを阻止する内層と、前記芳香剤の蒸気に対する障壁として機能する中間層と、説明を印刷するようになった外層とによって形成されている、ことを特徴とする多芳香剤揮発性物質の容器。
【請求項１６】
請求項１２に記載の多芳香剤揮発性物質の容器において、
エンコーデッドボード（２６）を保持するハウジング（２５）を有し、前記エンコーデッドボード（２６）は、前記容器（６）の芳香剤の組み合わせと関連した蒸発パラメータを含む、ことを特徴とする多芳香剤揮発性物質の容器。
【国際調査報告】
2008528221.tif 000013
2008528221.tif 000014
2008528221.tif 000015
2008528221.tif 000016
2008528221.tif 000017
2008528221.tif 000018
2008528221.tif 000019
2008528221.tif 000020